(57)【要約】  ３セットの対向する外側により、全体として矩形の外形を限定する本体を有し、この本体はブロック上部の上部開放端とブロック下部の開放下部端とを有する少なくとも１個の通路を有する建築用ブロック。ブロックの内側部分は、第１材料と、内側部分を囲む前記第１材料と異なる第２材料からなり、前記第２材料の少なくとも実質的に連続する外面を提供する。対向する側面セットの１つの１側面が側面の平面から外向きに延びる少なくとも１個の突起を有し、同じ対向する側面セットの別の対向する側面の少なくとも１つの空洞が、この第１の限定されたブロックと同じ形状および大きさを有し、単数または複数の空洞に１以上の突起を受けることにより別のブロックを受けて、その整列を実施する位置および大きさである。【選択図】図３
2009536276.tif 000002
【特許請求の範囲】
【請求項１】
３セットの対向する外側により、全体として矩形の外形を限定する本体を有し、この本体はブロック上部の上部開放端とブロック下部の開放下部端とを有する少なくとも１個の通路を有するものと、ブロックの内側部分は、第１材料と、内側部分を囲む前記第１材料と異なる第２材料からなり、前記第２材料の少なくとも実質的に連続する外面を提供し、かつ対向する側面セットの１つの１側面が側面の平面から外向きに延びる少なくとも１個の突起を有し、かつ同じ対向する側面セットの別の対向する側面の少なくとも１つの空洞が、単数または複数の空洞に１以上の突起を受けることにより、この第１の限定されたブロックと同じ形状および大きさを有する別のブロックを受けかつその整列を実施するための位置および大きさのものとを有する建築用ブロック。
【請求項２】
第２材料は第１材料より密度が高いことを特徴とする請求項１記載の建築用ブロック。
【請求項３】
第２材料はセメント系材料であることを特徴とする請求項２記載の建築用ブロック。
【請求項４】
第２材料は、主として、セメントと、砂と、水とから少なくとも構成される混合物からなることを特徴とする請求項３記載の建築用ブロック。
【請求項５】
第１材料は、発泡プラスチック粒子とセメント系バインダーの混合物であることを特徴とする前記請求項いずれかに記載の建築用ブロック。
【請求項６】
第１材料は、主として、セメントと、砂と、水と、発泡ポリスチレンビーズとを少なくとも含む混合物であることを特徴とする請求項５記載の建築用ブロック。
【請求項７】
第１材料は、発泡ポリスチレン粒子またはビーズが、湿潤混合物と相溶性があり、混合可能であるようにするための添加剤を含むことを特徴とする請求項６記載の建築用ブロック。
【請求項８】
外向きに延びる突起は、ブロックの上面から延び、空洞はブロックの底部または下面に形成され、使用の際、２つの建築用ブロックを結合および整列せしめるために空洞は別のブロックの外向きに延びる突起を受けるよう適合されることを特徴とする前記請求項いずれかに記載の建築用ブロック。
【請求項９】
１以上のスロットが外向きに延びる突起を分割し、別のブロックが、重なり合うか完全に一致する留置位置のいずれかに留置および入れ子可能にすることを特徴とする前記請求項いずれかに記載の建築用ブロック。
【請求項１０】
突起は実質的に丸いことを特徴とする請求項９記載の建築用ブロック。
【請求項１１】
突起は、ブロックに対して直角に対称であることを特徴とする請求項１０記載の建築用ブロック。
【請求項１２】
ブロックの上部と底部との間に延びる２本の通路があり、これらがブロックの側壁の間を延びる壁によって、これと一体となるように分割されることを特徴とする前記請求項いずれかに記載の建築用ブロック。
【請求項１３】
空洞は、ブロックの下周囲を囲んで延びるスカートで、これと一体になるように限定されることを特徴とする前記請求項いずれかに記載の建築用ブロック。
【請求項１４】
一体部分として、２個の対向する位置の側壁と、共にブロックの底部から上部を完全に通って延びる少なくとも１個の内側通路を限定する２個の対向する位置の端壁とを有し、ブロックの外側最上周囲は実質的に１つの平面内にあり、外側最上周囲の後ろのそれぞれの壁の部分は外側最上周囲より高く、それぞれの壁の外側最下周囲は共にすべて１つの平面内にあり、かつ外側最下周囲の後ろのそれぞれの壁の部分は外側周囲より高く、前記後者の部分は、第１ブロック上に最外側側面を整列させるように設置されると、同一ブロックの外側の最下周囲が第１ブロックの外側最上周囲と実質的に一致する受け形状を提供するような位置および形状である、湿式キャストセメントの建築用ブロック。
【請求項１５】
一体部分として、２個の対向する位置の側壁と、共にブロックの底部から上部を完全に通って延びる少なくとも１個の内側通路を限定する２個の対向する位置の端壁とを有し、それぞれの壁の外側最上周囲は共にすべて１つの平面内にあり、上外側最上周囲の後ろのそれぞれの壁の部分は外側周囲より高く、それぞれの壁の外側最下周囲は共にすべて１つの平面内にあり、かつ外側最下周囲の後ろのそれぞれの壁の部分は外側周囲より高く、かつ前記後者部分は、第１ブロック上に最外側側面を整列させるように設置されると、同一ブロックの外側最下周囲が第１ブロックの外側最上周囲と実質的に一致する受け形状を提供するような位置および形状である、湿式キャストセメントの建築用ブロック。
【請求項１６】
２個の対向する位置の外側面と、２個の対向する位置の外側端部と、上部および底部と、ブロックの上部から底部を完全に通って延びる中空通路と、ブロックの上部に限定される面の上をそれぞれ延びる複数の突起で、各突起は、内側側面が中空通路の上部の周囲の一部に沿って隣接して、または接合して延びるように位置するものと、ブロックの底部の平面表面へ延びる１以上の受け空洞で、各空洞は底面内へ延びる１以上の突起を受けるように対応する形状および位置にあるものとを持ち、かつそれぞれの突起および単数または複数の空洞は互いに対応する位置にある、実質的に矩形外形の建築用ブロック。
【請求項１７】
ブロックに関する前記請求項いずれかに特徴づけられる第１ブロックで、前記第１ブロックが、第２の実質的に同一のブロック上に位置決めされ、第１ブロックは、第２ブロックの下面内の対応する空洞と係合する上向きの突起を有することを特徴とする構築物。
【請求項１８】
それぞれのブロックは建築用接着剤により共に保持されることを特徴とする請求項１７記載の構築物。
【請求項１９】
少なくとも２個のブロックのアセンブリで、そのそれぞれはブロックに関する前記請求項のいずれかのように特徴づけられ、前記ブロックの第１のものの寸法および形状は、前記ブロックの第２のものの寸法および形状と実質的に同一であり、前記ブロックの第１のものは上に位置し、それぞれの前および後面で共通面を限定するように整列し、底面を持つ第１ブロックは、直接整列して位置し、それぞれのブロックの少なくとも実質的に２つの接合面の間を延びる薄い接着界面により接着するアセンブリ。
【請求項２０】
添付の図面を参照し、図解する、明細書に記載の建築用ブロック。
【請求項２１】
添付の図面を参照し、図解する、明細書に記載の構築物。
【請求項２２】
添付の図面を参照し、図解する、明細書に記載の建築用ブロックのアセンブリ。
【発明の詳細な説明】
【技術分野】
【０００１】
本発明は、建築用ブロック等のコンクリート組積ユニット、コンクリート組積ユニットによる建築物、およびこれらコンクリート組積ユニットを用いた建築方法に関する。
【背景技術】
【０００２】
建築用にコンクリート中空ブロックを用いることは知られている。これらは従来、セメントと骨材の混合物である非常に乾燥したノースランプ(no-slump)コンクリートから作られる。この混合物を、自立する程度に型の中で圧縮および／または振動させてから、迅速に型から取り外し、型から離れて養生その他処理のため取り扱う。
【０００３】
このような従来のブロックはまた、各ブロックを支持する湿式モルタル床を用いることにより、従来から建築に用いられる。各ブロックは、適切に整列するよう当業者によって適切な位置に調整されてから、モルタルが放置され、養生される。このような養生には時間がかかるため、１回のセッションでもう１つのブロックの上に重ねて置けるブロック数が限定されることがある。
【発明の概要】
【発明が解決しようとする課題】
【０００４】
そのため、建築関連費用は当業者が各モルタル床を準備し、多くの場合、ブロックが非常に重いところで最終モルタルを塗布してから、既に位置決めした他のブロックとそのブロックとを整列させるため最終位置を調整する必要性に応じて決まる。
【０００５】
従来の組積コンクリートブロックのさらなる問題はその外観である。
【０００６】
本発明の目的は、上記困難の１つ以上を少なくともある程度まで軽減することである。
【課題を解決するための手段】
【０００７】
本発明の別の目的および利点は、添付の図面と共に、図解と例示としての本発明の実施例を開示した以下の説明から明らかになる。
【０００８】
本発明の一形態において、３セットの対向する外側により、全体として矩形の外形を限定する本体を有し、この本体はブロック上部の上部開放端とブロック下部の開放下部端とを有する少なくとも１個の通路を有するものと、ブロックの内側部分で、第１材料と、内側部分を囲む前記第１材料と異なる第２材料からなり、前記第２材料の少なくとも実質的に連続する外面を提供するものと、対向する側面セットの１つの１側面が側面の平面から外向きに延びる少なくとも１個の突起を有し、同じ対向する側面セットの別の対向する側面の少なくとも１つの空洞が、単数または複数の空洞に１以上の突起を受けることにより、この第１の限定されたブロックと同じ形状および大きさを有する別のブロックを受けて、その整列を実施するための位置および大きさのものとを有する建築用ブロックが提案される。
【０００９】
第２材料は第１材料より密度が高いことが望ましい。
【００１０】
第２材料はセメント系材料であることが望ましい。
【００１１】
第２材料は、主として、セメントと、砂と、水とから少なくとも構成される混合物からなることが望ましい。
【００１２】
第１材料は、発泡プラスチック粒子とセメント系バインダーの混合物であることが望ましい。
【００１３】
第１材料は、主として、セメントと、砂と、水と、発泡ポリスチレンビーズとを少なくとも含む混合物であることが望ましい。
【００１４】
第１材料は、発泡ポリスチレン粒子またはビーズが、湿潤混合物と相溶性があり、混合可能であるようにするための添加剤を含むことが望ましい。
【００１５】
添加物は、乾燥成分を加える前に水に加えることが望ましい。
【００１６】
外向きに延びる突起は、ブロックの上面から延び、空洞はブロックの底部または下面に形成され、使用の際、２つの建築用ブロックを結合および整列せしめるために空洞は別のブロックの外向きに延びる突起を受けるよう適合されることが望ましい。
【００１７】
１以上のスロットが外向きに延びる突起を分割し、別のブロックが、重なり合うか完全に一致する留置位置のいずれかに留置および入れ子可能にすることが望ましい。
【００１８】
突起は実質的に丸いことが望ましい。
【００１９】
あるいは、突起は実質的に直線的であることが望ましい。
【００２０】
突起は、ブロックに対して直角に対称であることが望ましい。
【００２１】
ブロックの上部と底部との間に延びる２本の通路があり、これらがブロックの側壁の間を延びる壁によって、これと一体となるように分割されることが望ましい。
【００２２】
空洞は、ブロックの下周囲を囲んで延びるスカートで、これと一体になるように限定されることが望ましい。
【００２３】
別の形態では、本発明は、一体部分として、２個の対向する位置の側壁と、共にブロックの底部から上部を完全に通って延びる少なくとも１個の内側通路を限定する２個の対向する位置の端壁とを有する湿式キャストセメントの建築用ブロックで、ブロックの外側最上周囲は実質的に１つの平面内にあり、外側最上周囲の後ろのそれぞれの壁の部分は外側最上周囲より高く、それぞれの壁の外側最下周囲は共にすべて１つの平面内にあり、外側最下周囲の後ろのそれぞれの壁の部分は外側周囲より高く、前記後者の部分は、第１ブロック上に最外側側面を整列させるように設置されると、同一ブロックの外側の最下周囲が第１ブロックの外側最上周囲と実質的に一致する受け形状を提供するような位置および形状であるものとも言える。
【００２４】
別の形態では、本発明は、一体部分として、２個の対向する位置の側壁と、共にブロックの底部から上部を完全に通って延びる少なくとも１個の内側通路を限定する２個の対向する位置の端壁とを有する湿式キャストセメントの建築用ブロックで、それぞれの壁の外側最上周囲は共にすべて１つの平面内にあり、上外側最上周囲の後ろのそれぞれの壁の部分は外側周囲より高く、それぞれの壁の外側最下周囲は共にすべて１つの平面内にあり、外側最下周囲の後ろのそれぞれの壁の部分は外側周囲より高く、前記後者部分は、第１ブロック上に最外側側面を整列させるように設置されると、同一ブロックの外側最下周囲が第１ブロックの外側最上周囲と実質的に一致する受け形状を提供するような位置および形状であるものとも言える。
【００２５】
別の形態では、本発明は、２個の対向する位置の外側面と、２個の対向する位置の外側端部と、上部および底部と、ブロックの上部から底部を完全に通って延びる中空通路と、ブロックの上部に限定される面の上をそれぞれ延びる複数の突起で、各突起は、内側側面が中空通路の上部の周囲の一部に沿って隣接して、または接合して延びるように位置するものと、ブロックの底部の平面表面へ延びる１以上の受け空洞で、各空洞は底面内へ延びる１以上の突起を受けるように対応する形状および位置にあるものとを持つ、実質的に矩形外形の建築用ブロックで、それぞれの突起および単数または複数の空洞は互いに対応する位置にあるものとも言える。
【００２６】
別の形態では、本発明は、上述の第１建築用ブロックが、第２の実質的に同一のブロック上に位置決めされ、第１ブロックは、第２ブロックの下面内の対応する空洞と係合する上向きの突起を有するものとも言える。
【００２７】
それぞれのブロックは、建築用接着剤によって共に保持されることが望ましい。
【００２８】
別の形態では、本発明は、少なくとも２個のブロックのアセンブリで、そのそれぞれは上述のもので、前記ブロックの第１のものの寸法および形状は、前記ブロックの第２のものの寸法および形状と実質的に同一であり、前記ブロックの第１のものは上に位置し、それぞれの前および後面で共通面を限定するように整列し、底面を持つ第１ブロックは、直接整列して位置し、それぞれのブロックの少なくとも実質的に２つの接合面の間を延びる薄い接着界面により接着するものとも言える。
【００２９】
「湿式キャストコンクリート」という用語は、非常に乾燥したノースランプコンクリートで、コンパクトな塊に圧縮および／または振動させ、そのような工程の後、非常に急速に型から取り外し、型の外で養生することのできるものを用いるブロックに対して、解放するまで型にやや長く置く必要のあるこのコンクリートを区別するために用いられる。
【００３０】
本発明をよりよく理解するため、次の図面を用いて説明する好適な実施例を参照しながら説明する。
【図面の簡単な説明】
【００３１】
【図１】ブロックの上からの第１実施例の斜視図である。
【図２】ブロックの下からの第１実施例の斜視図である。
【図３】ブロックの上からだが、図１の第１の図の反対側からブロックを見た斜視図である。
【図４】同じ第１実施例の平面図である。
【図５】一部切り欠いた第１実施例の側面図である。
【図６】第１実施例の一部切り欠いた端面図である。
【図７】支持留置位置にあり、２個のブロック間に接着剤を含む第１実施例に係る２個のブロックの斜視図である。
【図８】第２実施例に係る他方のブロックに１個載せた２個のブロックの横断面図である。
【図９】図８のように第２実施例に係る他方のブロックに１個載せた２個のブロックの逆の配置での横断面図である。
【図１０】建築アセンブリを示すため結合した第２実施例に係るブロックの斜視図である。
【図１１】連動、結合および接着配置に配置された第２実施例に係るブロックのセットの横断面図である。
【図１２】第３実施例に係るブロックの横断面図である。
【図１３】第４実施例の上からの斜視図である。
【図１４】下から見た時の同じ第４実施例の斜視図である。
【図１５】組立配置にある第４実施例のブロックの横断面図である。
【図１６】第５実施例の斜視図である。
【図１７】下からみた時の同じ第５実施例の斜視図である。
【図１８】第５実施例のブロックの横断面図である。
【図１９】第６実施例の斜視図である。
【図２０】第６実施例の斜視図である。
【発明を実施するための形態】
【００３２】
詳細に図面を参照すると、図１から図７は第１実施例を示し、ここでは、ブロック１は湿式キャストセメントからなり、一体部分として、２個の対向して位置する（すなわち対向する）側壁２および３と、２個の対向して位置する（すなわち対向する）端壁４および５を有し、これら壁２、３、４および５はそれぞれ一体に成形される。
【００３３】
これらそれぞれの壁２、３、４および５は、その間、この場合は特に一方に中空の通路６と、他方に７が限定される配置である。
【００３４】
これら通路６および７の利点は、同一サイズおよび組成である別のブロックより軽量のブロック１となることである。さらに、これら空洞は断熱効果を提供し、エネルギー節約の点だけでなく、耐火性の面からも有益であることを証明できる。
【００３５】
壁２から壁３に横に延び、これと一体に成形される中間結合壁８がある。
【００３６】
このブロックには、上部最外側周囲９が設けられ、これが実質的に１０の平面を限定する。この平面１０を参照すると、例として１１、１２、１３および１４等のそれぞれの部分によって例示されるブロックの一部があり、この実施例では、高い部分（すなわち、突起を形成）を提供し、限定された平面１０の一部である周囲境界領域１５を残し、高い部分は奥へ設置される。
【００３７】
高い部分（突起）１１から１４は一般に隆起しているが、１０のような平面と一致する領域を残す部分によって分離され、例えば１７および１８に示すこれら「スロット」の目的は、重なり合うか、完全に一致する留置位置かを問わず、同様のブロックを適切に留置して入れ子にできるようにすることである。
【００３８】
図１から図１２に示すこれら高い部分１１から１４を丸めることが望ましいと考えられるのは、このような丸めた形状が、使用により欠けたり壊れたりする傾向が大きい鋭い縁を有する高い部分より堅牢なためである。
【００３９】
隆起部分の利点は、外側縁からずれた形状を黙示的に提供することだが、そこから隆起しており、そこを通過する水分のアクセスを阻止する「雨除け」として作用することである。
【００４０】
この効果は、スロット１７および１８によってある程度棄損されるが、スロットによって提供される面積は、上部１１から１４の全長と比較して比較的小さく、棄損効果は比較的小さい。
【００４１】
ここで図２に示すような下側を見ると、他の図面にも示されるが、最下平面２１を限定する最下最外周囲２０がある。
【００４２】
この場合、これがスカートと呼ばれるものを提供し、ブロック１の最下部分を完全に取り囲み、この平面１から嵌め込むのが隆起部分２２で、平面２１に対するその位置と高さは、それぞれの平面１０と隆起部分とが一般に１１から１４の数ミリメートル以内で一致するよう選択する。
【００４３】
この特定の場合、寸法は、最下平面２１と、ある程度は平面１０によって与えられる面積が、平面２２と平面１６とによって与えられる面積と略同じになるよう選択している。
【００４４】
第１ブロックが第２ブロック上にある時、一対一接触上で略等しい負荷を共有することが期待されるが、この場合、建築技術における接着剤の程度を除いて、両面は互いと密接に係合し、この支持を提供する。
【００４５】
しかしながら、略同様の幅を有する利点は、取扱中、上部が比較的頑丈で、ブロックの底部に従属するスカート部分も比較的頑丈であるため、建築現場での従来の取扱、あるいは粗雑な取扱であっても破損に対してより耐性が高くなる点である。
【００４６】
ブロック１の下側は、１７または１８等のそれぞれのスロット内に適合する別途部分を提供しようとするものではないことに注意する。
【００４７】
このブロック１の建築は湿式キャスト建築技術であり、すなわち、自立して、成型のための型から抜き出せるようになるまで少なくともある程度セメントの養生に依存する。
【００４８】
これは、従来の圧縮組積キャストブロックシステムと異なり、従来システムでは非常に乾燥しているか、あるいは業界用語ではスランプがないか無視できるコンクリートを用いて、振動および／または圧力の利用で型から急速に抜き出すことを可能にするため、セメントの実質的な養生が期待できるのは型抜き後であるが、これは、例えば、蒸気養生あるいはその他の従来技術によって適切な方法で達成することができる。
【００４９】
我々は特にこの実施例および少なくとも本出願と発明の実質的な部分に関して、特性の異なるブロック部分を用いている。
【００５０】
内的特性は、ポートランドセメントと、砂と、ポリスチレンビーズとで形成したコンクリートのものである。
【００５１】
これは有効な材料であることがわかっており、この種のブロックの内部に適切な構造的強度を与えることができ、ブロックの外部は、発泡プラスチックなどの材料を含まない別途の仕上げ材料によって与えられる。
【００５２】
ポリスチレンビーズが湿式セメント、特にポートランドセメントと混合可能になるよう適切なコーティングで処理することが知られており、この場合、このような混合物を使用しなければならないことが提案される。ビーズは、混合物への添加前に処理することができ、あるいは、保護添加剤を乾燥混合物と、あるいは、乾燥混合物を添加する前に水と混合することができる。
【００５３】
ポリスチレンビーズを用いる利点は、適切な圧縮強度を持つが、経済的な取扱いおよび保管と製造を可能にするブロックサイズをももたらす軽量コンクリートを提供することで、従来のセメント砂混合物を適用できる仕上げ材料を設け、泡、砂その他骨材、セメントの内部コア材料と一体化することで、全体の外面が装飾的、または水分に対して不透過性、あるいはその他用途に適切とすることができる一方、内部本体はこの適切な支持強度と同時に、必要な目的のための嵩を与える点である。
【００５４】
内部コア材料の代表的な混合物は次のようでよい（ブロックあたり）。
ポリスチレン：６．５Ｌから７Ｌ
セメント：４ｋｇから５ｋｇ
砂：５ｋｇから５．５ｋｇ
水１．８Ｌから２．１Ｌ
スーパープラスティサイザー：１４ｍＬから２０ｍＬ
塩化カルシウム：５０ｍＬから６５ｍＬ
空気連行剤：１４ｍＬから２０ｍＬ
これに加えてさらに次の代表的な外側層混合物は次の通りである（ブロックあたり）：
砂：０．５５ｋｇから０．５８ｋｇ
セメント：０．３ｋｇから０．４ｋｇ
【００５５】
適切に処理されたポリスチレンビーズは、従来の供給業者から購入することができる。
【００５６】
このブロック１には、製造と利用に有用な特徴がある。
【００５７】
その第１は、例えば、互いに対向して位置する側面２１と２２と、これも互いに対向して位置する側面２３と２４とが、下端２５の口より上部口の方が幅広く大きくなるよう先細になるよう先細にして並べた側面により内部通路が限定されることである。
【００５８】
これによって、製造中、すなわちブロックを打った後、型から抜き出す用意ができた時のコア抜き出しが容易になる。
【００５９】
これは、型抜き出しにも役立つという利点があるが、他のブロックの上にブロックを置いた時、ブロック１の底を、その下の同様のブロックの対応する形状の上向きに突出した部分の上に寄せる時、この先細形状がリードとして作用する。
【００６０】
先細の度合は、垂直に対して１から２°という小さいものから４５°以上まで大きな範囲内に入り得る。
【００６１】
最下空洞形状は、２８および２９等の側壁によっても限定され、上向きに突出する部分の２６および２７の円形形状と一致するようにも選択される。
【００６２】
ブロック１はさらに、外側最上縁上のアリス３０と、下最外側縁上のアリス３１とを含む。
【００６３】
図７において、３２および３３として参照し、第１実施例のブロックを複製する２個のブロックがあるが、これらを、３４等の上向き突起部分を対応する形状の空洞内に入れ子にする留置整列で他方の上に一方を載せて示す。
【００６４】
この２個のブロックはいずれも上下アリス３５と、３６と、３７を有し、この特徴がある程度装飾的であると共に、視覚的にあまり望ましくないであろう縁の偶然による欠けを最小限にするという機能的特徴も与える。
【００６５】
この場合、２個のブロック３２と３３は、建築用接着剤によって結合されているが、この目的のために適切な材料は従来のセメント系接着剤である。
【００６６】
２個の煉瓦またはブロックを結合するためには、接着材料のビーズをそれぞれの接合面に送るが、これを展開する程度は、２個の接合面が出会った時、接着剤が実質的にそれぞれの全表面全体に広がり、それぞれの表面の間の接着と、ひいてはブロックの接着だけではなく、水の浸入に対する密封も提供するようなものである。
【００６７】
必要な接着剤の量は実際に判断可能であり、一般に、接合面の間に約２ミリメートルの分離間隙ができるように選択されるが、これは、材料の接着材本体を見込むのに十分であると同時に、それぞれの接合面の寸法をこの小さい分離を見込むように選択する。
【００６８】
しかしながらこの分離は、実際には、ブロックを位置決めしたら、全体として中央に整列され、一方が他方の上であれ、重なり合っているのであれ、十分正確に角の結合位置に整列されるため、その場でのさらなる調整が無視できる程度か要らなくなるよう選択する。
【００６９】
図８は、図７に示す組み立てられたブロックを通した断面図である。
【００７０】
図１０は、重なり合う配置で建築に用いる場合の第１実施例と同じブロックを示す。
【００７１】
この時、それぞれの場合のブロックは半分重なり合い、四半ブロック４１が、このようにしてブロックを重ね合うことにより生じた隙間を埋める。
【００７２】
４０としてここに示すブロックは、第１実施例のブロックと同じ特徴を有し、この場合はいずれも前述の建築用接着剤によって共に保持されている。
【００７３】
この場合の四半ブロック４１は、この場合、ポリスチレンビーズを含む中実組積コンクリート材料で作られ、ポリスチレンビーズ等が埋め込まれないように、湿式キャスト成形工程中に作られた他のブロック４０の外面と一致する外面を有する。
【００７４】
図１０に示す構築物の断面図を図１１に示すが、第１実施例に関連して示すブロックの上向き突出部の断面形状の代替を改変可能で、代替を残りの実施例を通じて示し、例えば図１２においては、４５で示す上向き突出部が界面支持の大半を占め、４６に非常に狭い縁があり、上最外側縁の限定平面を提供する。
【００７５】
さらに、この場合、側壁４７がややより広範囲に傾斜する。
【００７６】
このブロックは他に４８でポリスチレンビーズが埋め込まれた組積材料、湿式方法で形成されたものだがこの場合は４９で示すようにポリスチレンビーズを埋め込まない外仕上げ材料を含み、この場合はブロックを建築用接着材料によって接着し、５０で数ミリメートルの分離隙間を残すが、この分離は、いかなる構築物の全体寸法にも付随するようにする。
【００７７】
図１３、図１４、および図１５を参照すると、これらは異なる上向き突出部を示し、ここでは代表的に５１のような三角形の断面形状として示す。
【００７８】
これは、中央に位置させることができ、対応する縁空洞５３は、図１４および図１５に特に示すように底部にある。
【００７９】
図１６、図１７、および図１８は代替形状を示し、他の限定平面５６に対する５５のような上向き突出部は断面が直線形状である。
【００８０】
これも図１７に示すように特に５７に一致する空洞形状を有する。
【００８１】
最後に、図１９および図２０に示すのは、限定平面６１に対して６０で示す上向き突出連動形状のさらなる変形と、ブロック底部内の対応する空洞形状６２である。
【００８２】
本発明の最も現実的で好適な実施例と思われるものをここに示し説明したが、本発明の範囲内で逸脱は可能であり、本書に記載した詳細に限られるものではなく、添付の請求の範囲の全範囲に従って、あらゆるすべての同等装置を含むことが理解される。
【図１】
2009536276.tif 000003
【図２】
2009536276.tif 000004
【図３】
2009536276.tif 000005
【図４】
2009536276.tif 000006
【図５】
2009536276.tif 000007
【図６】
2009536276.tif 000008
【図７】
2009536276.tif 000009
【図８】
2009536276.tif 000010
【図９】
2009536276.tif 000011
【図１０】
2009536276.tif 000012
【図１１】
2009536276.tif 000013
【図１２】
2009536276.tif 000014
【図１３】
2009536276.tif 000015
【図１４】
2009536276.tif 000016
【図１５】
2009536276.tif 000017
【図１６】
2009536276.tif 000018
【図１７】
2009536276.tif 000019
【図１８】
2009536276.tif 000020
【図１９】
2009536276.tif 000021
【図２０】
2009536276.tif 000022
【国際調査報告】
2009536276.tif 000023
2009536276.tif 000024
2009536276.tif 000025
2009536276.tif 000026
2009536276.tif 000027